(57)【要約】【課題】  透過型のリアスクリーン装置について、背面からプロジェクタで投写すると投写像のコントラストが高くて鮮明であり、しかも画面に筆記できることによってホワイトボードと兼用できる。【解決手段】    光線透過率が７５〜８７％である比較的厚い有色透明のプラスチックシートからなり、表面に耐擦傷性のハードコート層を形成するとともに、裏面に白色不透明の薄い光拡散層を積層して一体化し、観察側からプロジェクタの光源を直視してもその光源がスクリーン表面に拡散して視認できない程度のスクリーン透過度を有し、白色のスクリーン表面に水性マーカなどで書き込みおよびこれを拭き取ることが可能である。【選択図】図１
2005292166.tif 000002
【特許請求の範囲】
【請求項１】
光線透過率が７５〜８７％である比較的厚い有色透明のプラスチックシートからなり、表面に耐擦傷性のハードコート層を形成するとともに、裏面に白色不透明の薄い光拡散層を積層して一体化し、観察側からプロジェクタの光源を直視してもその光源がスクリーン表面に拡散して視認できない程度のスクリーン透過度を有し、白色のスクリーン表面に水性マーカなどで書き込みおよびこれを拭き取ることが可能であるリアスクリーン装置。
【請求項２】
光線透過率が７５〜８７％であり且つ表面に耐擦傷性のハードコート層を形成した有色透明のプラスチックシートと、白色不透明の薄い光拡散フィルムとからなり、観察側からプロジェクタの光源を直視してもその光源がスクリーン表面に拡散して視認できない程度のスクリーン透過度を有し、光拡散フィルムをプラスチックシートと重ね合わせ、この重ね合わせた状態で矩形フレームに取り付けて使用するリアスクリーン装置。
【請求項３】
表面に耐擦傷性のハードコート層を形成した有色透明のプラスチックシートと、光拡散フィルムと、無色透明である保護シートとからなり、観察側からプロジェクタの光源を直視してもその光源がスクリーン表面に拡散して視認できない程度のスクリーン透過度を有し、光拡散フィルムをプラスチックシートと保護シートとで挟み込み、この挟み込んだ状態で矩形フレームに取り付けて使用するリアスクリーン装置。
【請求項４】
プラスチックシート表面のハードコート層に超微粉末の酸化スズを含む導電性フィラーを添加することにより、該ハードコート層は高い光線透過率を維持すると同時に優れた帯電防止性を有し、スクリーン表面に付着したマーカ跡などの拭き取りが容易である請求項１，２または３記載のリアスクリーン装置。
【請求項５】
プラスチックシートは厚さ２ｍｍ以上のメタクリル樹脂板からなり、プラスチックシートであるメタクリル樹脂板が染料や顔料、紫外線吸収材および赤外線吸収材を含有することによって外光の反射が少なく且つ色再現性が良好である請求項１，２または３記載のリアスクリーン装置。
【請求項６】
光拡散層または光拡散フィルムは乳白色で厚さが１００〜３００μｍであり、基材の透明樹脂と屈折率が異なる光拡散材を混入している請求項１，２または３記載のリアスクリーン装置。
【発明の詳細な説明】
【技術分野】
【０００１】
本発明は、背面からプロジェクタで投写すると投写像のコントラストが高くて鮮明な透過型のリアスクリーン装置に関し、画面に筆記できることによってホワイトボードと兼用できるリアスクリーン装置に関する。
【背景技術】
【０００２】
近年の小中学校は、文部科学省の指導によって視聴覚教育が推進され、テレビ受像機、ビデオデッキ、テープレコーダ、オーバーヘッドプロジェクタ（ＯＨＰ）、映写機、ラジオなどを用いるＡＶ教育が盛んになっている。現在では、学校の各教室にテレビ受像機を殆ど１台ずつ備え付け、日々のＡＶ教育に活用している教育現場が多い。このテレビ受像機は、操作が比較的簡単である反面、画面が小さいうえに表面が湾曲して外光を反射しやすく、教室の座席が後方の児童では画像が殆ど視ることができない。このテレビ受像機は、ボックスタイプのために教室内における占有面積が大きすぎるという問題もある。
【０００３】
画像を映し出す点では画面の大きいＯＨＰが明らかに有利であり、座席が後方の児童でも画像が容易に視認することができる。しかし、現在市販のＯＨＰは、プロジェクタを教室内に据え付けて正確に位置決めし、且つ大きいスクリーンを広げ、皺の出ないように設定することが非常に煩雑であり、ＯＨＰが前面投写型であると児童は幻灯機のように安直なイメージを受けてしまう。また、ＯＨＰは、一般にスピーカなどの機器が貧弱で音声が良くなく、不使用時に巻き取ったスクリーンを保管することも大変である。
【０００４】
ＯＨＰについてスクリーンの設置および保管の点を改善するために、特開２００１−２９０２２１号または特開２００２−２０７２５２号のように、プロジェクタのリアスクリーンとホワイトボードとを兼用できる装置が提案されている。このようなスクリーン装置では、通常は教室でホワイトボードとして画面に文字や図面を書き込み、ＯＨＰの画像投写時にはそのままスクリーンとして使用できるので、大きいスクリーンを皺を出すことなく正確に平らに広げたり、巻き取ったスクリーンを保管する必要がなく、ＯＨＰの使い勝手が著しく便利になる。
【特許文献１】特開昭６２−２２１２５７号公報
【特許文献２】特開昭６３−４２０８号公報
【特許文献３】特開平６−６７３０８号公報
【特許文献４】特開平８−１６０５３９号公報
【特許文献５】特開平１１−２４８９０８号公報
【特許文献６】特開平１１−３１６３０５号公報
【特許文献７】特開２０００−２３０２１０号公報
【特許文献８】特開２００１−２９０２２１号公報
【特許文献９】特開２００２−９９０４７号公報
【特許文献１０】特開２００２−２０７２５２号公報
【発明の開示】
【発明が解決しようとする課題】
【０００５】
プロジェクタの大型リアスクリーンとホワイトボードとを兼用する装置は、教育現場だけでなく、スポーツクラブ、フィットネスクラブや体育館などに設置すると、参加者自身の運動姿勢を画面に投写させながら、インストラクタが改善すべき部位を赤マーカでチェックを入れるような使い方も可能になる。大型のリアスクリーンは、スポーツ競技における得点表示板としても利用でき、従来のＯＨＰに囚われない新たな発想で検討すると教育、スポーツ、ビジネスの分野において種々の用途を開拓できる。
【０００６】
従来の兼用スクリーン装置において、特開２００１−２９０２２１号に開示のスクリーン装置は、板ガラス表面が凹凸のある粗面であるので書き込んだ文字や図が多少変形するうえにその拭き取りが容易でなく、重い板ガラス製であるので壁面での固定設置のみが可能である。特開２００２−２０７２５２号に開示のスクリーン装置は、厚さ１０〜２００μｍの樹脂含浸紙からなり、硬い筆記具で画面に文字や図を強く書き込むことは不可能であり、文字や図を黒板拭きで簡単に拭き取ることができず、その拭き取りには水や溶剤が必要である。また、これらのスクリーン装置は、投写像の鮮明さおよびコントラストの点で十分であるとはいえない。特開昭６２−２２１２５７号および特開平８−１６０５３９号は、いずれもボックス型の電子黒板であり、大型になりすぎて教室などには設置不可能であり、投写物が限定されるうえに構造が複雑でコストが非常に高い。
【０００７】
一方、ＯＨＰ用のスクリーンは、現在まで非常に数多く特許出願されており、市販のリアスクリーンだけを取り出しても、１０インチ程度の小型から２００インチ近い大型まで広範囲に分類され、取付手段においても壁面嵌め込み式、巻き取り式、可搬パネル式などが存在する。例えば、特開昭６３−４２０８号に開示のスクリーンでは少なくと片面にフレネルレンズの型付け面を形成し、特開平１１−２４８９０８号では光入射側の面にフレネルレンズを形成し、特開平１１−３１６３０５号では片面にレンチキュラーレンズを形成し、少なくとも型付け工程が余分であるうえに、精密なレンズ金型を用いるこれらの型付け加工は非常に難しい。特開平６−６７３０８号は、スクリーン基材の両側に偏光シートを貼り合わせるので高価になる。特開２０００−２３０２１０号は、光拡散層の厚みが０.３〜１.２ｍｍであり、その厚みが比較的大きいことによって画面全体が暗くなりやすい。特開２００２−９９０４７号は、２枚の透明板の間にスクリーンシートを挟み込んだ態様であり、使用を継続する内に中間の小さいスクリーンシートがスクリーン枠の下内面まで下降し、設置位置がずれてしまう可能性がある。
【０００８】
本発明は、従来のリアスクリーン装置に関する前記の諸問題点を改善するために提案されたものであり、フレネルレンズ加工などの精密な型付け加工を行わなくても、投写像のコントラストが高くて鮮明であるリアスクリーン装置を提供することを目的としている。本発明の他の目的は、ホワイトボードとして画面に筆記できるリアスクリーン装置を提供することである。
【課題を解決するための手段】
【０００９】
本発明に係るリアスクリーン装置は、比較的厚い有色透明のプラスチックシートからなり、表面に耐擦傷性のハードコート層を形成している。このリアスクリーン装置は、観察側からプロジェクタの光源を直視してもその光源がスクリーン表面に拡散して視認できない程度のスクリーン透過度を有する。プラスチックシート表面のハードコート層には、超微粉末の酸化スズを含む導電性フィラーを添加すると好ましく、該ハードコート層が高い光線透過率を維持すると同時に優れた帯電防止性を有することにより、スクリーン表面に付着したマーカ跡の拭き取りが容易である。
【００１０】
好ましくは、リアスクリーン装置のプラスチックシートは厚さ２ｍｍ以上のメタクリル樹脂板からなり、このメタクリル樹脂板は染料や顔料、紫外線吸収材および赤外線吸収材を含有することによって外光の反射が少なく且つ色再現性が良好である。また、光拡散層または光拡散フィルムは乳白色で厚さが１００〜３００μｍであり、基材の透明樹脂と屈折率が異なる光拡散材を混入している。
【００１１】
本発明のリアスクリーン装置は、例えば、プラスチックシートと光拡散フィルムと無色透明である保護シートとからなる。このリアスクリーン装置は、光拡散フィルムをプラスチックシートと保護シートとで挟み込み、この挟み込んだ状態で矩形フレームに取り付けて使用する。この挟み込んだ状態は、両シートおよびフィルムが密接していても、それぞれの間に狭い空気層を有するように間隙を設けてもよい。
【００１２】
本発明のリアスクリーン装置は、光線透過率が７５〜８７％であるプラスチックシートと、白色不透明の薄い光拡散フィルムとで構成してもよい。このリアスクリーン装置は、光拡散フィルムをプラスチックシートと重ね合わせ、この重ね合わせた状態で矩形フレームに取り付けて使用する。この光拡散フィルムが剛性を多少有するならば、両者の間に空気層を有するように間隙を設けてもよい。
【００１３】
本発明のリアスクリーン装置は、光線透過率が７５〜８７％であるプラスチックシートだけで構成してもよい。このプラスチックシートは、表面に耐擦傷性のハードコート層を形成するとともに、裏面に白色不透明の薄い光拡散層を積層して一体化する。このリアスクリーン装置は、白色のスクリーン表面に水性マーカなどで書き込みおよびこれを拭き取ることが可能である。
【００１４】
本発明を図面によって説明すると、図１に示すリアスクリーン装置１において、基体のプラスチックシート２は比較的厚くて有色透明であり、素材としてアクリル系樹脂、ポリスチレン系樹脂、ポリカーボネート系樹脂、メタクリル酸メチル／ビニル系モノマー共重合樹脂などが例示できる。特に、メタクリル樹脂は、プロジェクタにおける液晶の偏光特性を低下させる複屈折率が小さく且つ耐衝撃性が高いので好ましく、このメタクリル樹脂として、メタクリル酸メチル単独重合体、メタクリル酸メチルと共重合可能なビニル系モノマーを５０重量％以下含む共重合体が好適である。この共重合可能なビニル系モノマーとして、アクリル酸メチル，アクリル酸エチルやアクリル酸ブチルのようなアクリル酸エステル、メタクリル酸エチル，メタクリル酸ブチルやメタクリル酸シクロヘキシルのようなメタクリル酸エステル、アクリル酸、メタクリル酸、スチレン、アクリロニトリルなどが例示できる。
【００１５】
プラスチックシート２は、それを構成する熱可塑性樹脂中に染料や顔料を添加して有色透明としており、この染料または顔料は最大吸収波長範囲が４６０〜５４０ｎｍである光吸収材である。この光吸収材において、顔料として微粉末のカーボンブラックやネオジウム化合物など、染料としてＰｌａｓｔ Ｂｌｕｅ ８５１６（有本化学製）、Ｄｉａｒｅｓｉｎ Ｒｅｄ Ｚ（三菱化学製）、Ｓｕｍｉｐｌａｓｔ Ｒｅｄ ３Ｂ（住友化学工業製）、Ｓｕｍｉｐｌａｓｔ Ｙｅｌｌｏｗ ＨＬＲ（住友化学工業製）、Ｃｒｏｍｏｐｈｔａｌ Ｂｒｏｗｎ ５Ｒ（チバガイギー製）などが例示できる。
【００１６】
所望に応じて、メタクリル樹脂について、紫外線吸収材および赤外線吸収材をさらに添加すると好ましく、紫外線吸収材は最大吸収波長範囲が３００〜４００ｎｍである。この紫外線吸収材として、ベンゾトリアゾール系、ベンゾフェノン系、ベンゾエート系、シアノアクリレート系、サリチレート系化合物などが例示でき、特にベンゾトリアゾール系化合物が好適である。ベンゾトリアゾール系化合物には、２−（２'−ヒドロキシ−５'−メチルフェニル）−ベンゾトリアゾール、２−（５−クロロ−２'−ヒドロキシ−３'−ｔ−ブチル−５'−メチルフェニル）ベンゾトリアゾール、２−（２'−ヒドロキシ−３'，５'−ジ−ｔー−ブチルフェニル）−ベンゾトリアゾールなどを包含し、好ましくは最大吸収波長が高波長側で４００ｎｍ付近に光吸収がある２−（５−クロロ−２'−ヒドロキシ−３'−ｔ−ブチル−５'−メチルフェニル）ベンゾトリアゾールを用いる。
【００１７】
また、赤外線吸収材は最大吸収波長範囲が６５０〜９００ｎｍである。この赤外線吸収材として、アントラキノン系化合物、フタロシアニン系化合物などが例示できる。具体的には、ＮＱＭ（富士写真フィルム製）、ＩＲＦ−７００（富士写真フィルム製）、ＩＲ−７５０（日本化薬製）、スミソープ２００（住友化学工業製）、スミソープ３００（住友化学工業製）、近赤外線吸収材ＳＩＲ−１１４（三井東圧化学製）、イーエクスカラーＩＲ−１（日本触媒製）、エクスカラー６０１Ｗ（日本触媒製）などを包含する。
【００１８】
紫外線吸収材の添加量は、メタクリル樹脂１００重量部に対して０.００５〜２重量部であり、０.００５重量部未満では波長４００ｎｍ以下の吸収性能が不十分であり、２重量部を超えるとメタクリル樹脂からブリードが発生する。一方、赤外線吸収材および染料や顔料の添加量は、ともにメタクリル樹脂１００重量部に対して数千ｐｐｍ以下であり、目的とするプラスチックシート２の性能および厚みに応じて添加量を調整すればよい。
【００１９】
これらの添加材をメタクリル樹脂に配合するには、重合性モノマー類に所望の添加材を溶解させた後に公知のキャスト重合法を行っても、ＭＦＲが０.１以上のアクリル樹脂に所望の添加材をスーパーミキサーなどで混合した後に、押出機を用いて溶融混練してペレット化してもよい。得たメタクリル樹脂組成物は、射出成形や押出成形のような公知の成形方法によってシートに成形できる。
【００２０】
プラスチックシート２は、通常、表面寸法が６０〜１００インチ程度の大きさであり、スクリーン装置単独でパネル状に立設させるか、または図４に例示するようにフレーム３に取り付けて立設させて使用し、さらに水性マーカなどで書き込む際に凹まないように、ある程度の厚みを有することが必要である。例えば、プラスチックシート２の厚みを２ｍｍ以上に定め、通常は立設支持や搬送などの点を考慮して厚さ５ｍｍ以上のものを使用すると好ましい。プラスチックシート２が厚さ２ｍｍ以上好ましくは５ｍｍ以上であると、投写像のコントラストをさらに向上させ且つ色再現性を改善できる。
【００２１】
得た有色透明のプラスチックシート２は、使用する添加材の種類および添加量を適宜に調整することによって光線透過率を７５〜８７％に定め、この数値には表面のハードコート層も含まれている。より好ましくは、プラスチックシート２において光線透過率を８２±３％に定めると、スクリーン表面４（図４）において投写像の明るさを保持しながら、外光の反射をさらに低減化することができる。
【００２２】
プラスチックシート２の表面は、耐擦傷性を賦与するとともに、水性マーカ（図示しない）などで書き込みと拭き取りを可能とするためにハードコート層６（図１）を形成する。ハードコート層６の形成は、クリーン環境においてメタクリル酸などの不飽和化合物やエポキシ樹脂を印刷法、スプレー法、ディッピング法、ロールコータ法、カーテンフロー法などで表面付着させ、溶剤乾燥の後に紫外線照射によって架橋重合して短時間で硬化させる。ディッピング法の場合には、プラスチックシート２の両面にハードコート層が形成される。他のハードコート層の形成法として、クリーン環境でプライマ塗装してから乾燥・加熱硬化させ、ついでクリーン環境でハードコート塗装した後に遠赤外線ヒータや熱風炉を用いて８０〜１３０℃で乾燥・加熱硬化させてもよい。この場合、良好な耐磨耗性を示すホスファゼン樹脂を被膜材料として用いてもよい。
【００２３】
好適なハードコート層６として、ウレタンアクリレート、エポキシアクリレート、ポリエステルアクリレートなどの多官能アクリレートに超微粉末の酸化スズを含む導電性フィラーを添加した希釈コート液を用い、このコート液を表面付着させてから紫外線照射で硬化させる。得たハードコート層６は、添加した酸化スズが超微粉末であり、光の波長よりも小さいので透明性が良く、プラスチックシート２の高い光線透過率をほぼ維持できる。このハードコート層６は、表面抵抗率が高くて優れた帯電防止性を有し、温水浸漬しても帯電防止性を長期間維持する。
【００２４】
図２で中間に配置する薄い光拡散フィルム５は、プラスチックシート２と隣接しており、水性マーカなどでスクリーン表面４に筆記すると文字や図が視認できるように白色不透明であることを要する。光拡散フィルム５は、基材の透明樹脂と屈折率が異なる光拡散材を混入してフィルム状に成形したり、光拡散材を配合した透明樹脂をフィルム上に塗布することによって製造し、この塗布法としてスクリーン印刷法などを用いることも可能である。透明樹脂と光拡散材との屈折率差は、一般に０.０５前後であればよい。また、光拡散フィルム５を製造する際に、透明樹脂中に混入した光拡散材が沈殿しないように、この光拡散材は透明樹脂と比重が近いことが望ましい。
【００２５】
光拡散フィルム５において用いる光拡散材は、シリカ、アルミナ、タルク、ジルコニア、ガラスビーズ、酸化亜鉛、二酸化チタンのような無機質微粉末、またはアクリル系樹脂、ポリスチレン系樹脂、シリコン樹脂、ベンゾグアナミンのような有機質微粉末である。この光拡散材の形状は、球形、扁平形状、円柱形、不定形などであればよく、その平均粒径は約１０μｍ以下であり、プロジェクタにおける液晶の偏光特性を低下させることが少ない球形であることが望ましい。一方、基材の透明樹脂は、ポリエステル系樹脂、アクリル系樹脂、アクリルウレタン系樹脂、ウレタン系樹脂、ポリスチレン系樹脂、ビニル系樹脂などの熱可塑性樹脂、熱硬化性樹脂、反応性樹脂であり、光拡散フィルム５の透視性を損なわない樹脂であれば使用可能である。
【００２６】
光拡散フィルム５において、光拡散材の含有量は所望するスクリーン表面４の明度に応じて定め、一般に３０〜６０ｇ／ｍ２であればよい。光拡散フィルム５の厚みは１００〜３００μｍである。光拡散フィルム５の厚みが１００μｍ未満であると、該フィルムの強度が低下しすぎることになり、光拡散フィルム５の厚みが３００μｍを超えるとスクリーン表面４での解像度が低下して暗くなる傾向がある。
【００２７】
光拡散フィルム５は、その片面または両面に微細な凹凸を有する表面構造にすると好ましく、このような微細な凹凸は、混入した光拡散材によって形成するかまたはサンドブラストなどを用いて表面処理によって形成すればよい。このような微細な凹凸は、光源側からの投映光の反射光を抑制することができ、スクリーン表面４のコントラストをいっそう高めることができる。
【００２８】
図１のリアスクリーン装置１において、裏側に位置する保護シート７は、厚さ１〜２ｍｍの透明プラスチックシートであり、その素材は基体のプラスチックシート２と同じであればよい。保護シート７は、薄くて脆い光拡散フィルム５と隣接し、光拡散フィルム５を変形や破損から保護する役目を有する。保護シート７における光源側の面８には、エンボス仕上げ加工などによってアンチグレア処理を施し、外光の映り込みを減らすことによってスクリーンの視認性をいっそう高める。
【００２９】
図１において、リアスクリーン装置１は、光拡散フィルム５をプラスチックシート２および保護シート７で挟み込み、この挟み込んだ状態でフレーム３に組み込んで黒板状に構成し、さらにキャスタ付きの架台１０に取り付けて移動可能とすると好ましい。リアスクリーン装置１は、観察側１１（図５）からプロジェクタ１２の光源を直視してもその光源がスクリーン表面４に拡散して視認できない程度のスクリーン透過度を有することを要し、この光線透過度は通常４０〜６０％に相当する。
【００３０】
図５で用いるプロジェクタ１２は、一般に液晶プロジェクタであり、例えば、６０インチ画面で投映距離を約１.３ｍに短縮する短焦点レンズを搭載するプロジェクタ（商品名：ＬＰ−ＸＵ３３、三洋電機製）であると好ましい。また、非球面ミラーを採用したプロジェクタ（商品名：ミラープロジェクタＷＴ６００Ｊ、ＮＥＣ製）であると、投映距離を６０インチで２６ｃｍに短縮できるのでリアスクリーン装置１の敷設面積が著しく小さくなり、該リアスクリーン装置に組み込むことも可能である。
【００３１】
図２において、リアスクリーン装置１４は、光拡散フィルム５をプラスチックシート２と重ね合わせ、この重ね合わせた状態でフレーム３に組み込み、さらにキャスタ付きの架台１０に取り付けて移動可能とすると好ましい。リアスクリーン装置１４には図１のような保護シートが存在しないため、光拡散フィルム５は、光拡散材を配合した透明樹脂をフィルム上に塗布する態様とし、該フィルムは比較的厚めで硬質であると好ましい。
【００３２】
図３において、リアスクリーン装置１５は、有色透明のプラスチックシート１６からなり、光拡散フィルムに相当する薄い光拡散層１８をシート裏面に積層して一体化している。この光拡散フィルムの一体化は、通常、シート１６の片面に透明な粘着剤を塗布することによって行う。この粘着剤は、双方のシートに密着性があって無色または有色透明であり、その種類は感圧型接着剤、水系接着剤、２液型接着剤、紫外線硬化型接着剤などのいずれでもよい。また、この光拡散層は、スクリーン印刷法などで直接形成することも可能である。
【発明の効果】
【００３３】
本発明に係るリアスクリーン装置は、背面からプロジェクタで投写するとスクリーン画面の投写像のコントラストが高くて非常に鮮明であり、光の干渉によって生じるモアレ現象および表面のぎらつきなどが発生しない。本発明のリアスクリーン装置は、６０インチ以上の大型パネル式のホワイトボードであり、比較的硬質で湾曲や変形を起こさないので架台に取り付けたままで移動でき、特別な保管場所を必要とせず、使用時にスクリーンを引き出して皺が出ないように壁面に吊り下げる作業などの煩わしさもない。
【００３４】
本発明のリアスクリーン装置は、スクリーン表面のハードコート層によって筆記具などが画面に接触しても傷が付かず、このハードコート層は帯電防止性であるので埃やマーカ跡などが付着しにくい。本発明のリアスクリーン装置は、市販黒板並みの大型ボードであり、比較的硬質で湾曲や変形を起こさないので画面に筆記しやすく、教育現場などでホワイトボードと兼用でき、プロジェクタで画面に質問事項を投写させながら、水性マーカで画面に説明を書き込むことなども可能である。このリアスクリーン装置は、教育現場だけでなく、スポーツクラブ、フィットネスクラブや体育館などに配備すると便利であり、ビジネスシーンで使用することもできる。
【００３５】
本発明のリアスクリーン装置では、プラスチックシートが染料や顔料、紫外線吸収材および赤外線吸収材を含有していると、スクリーンにおいて投写光源である赤色・緑色・青色の吸収量に比べて、投写光源以外の光の吸収割合が大きくなる。このリアスクリーン装置は、投写光源が有する可視光線の波長以外である蛍光灯や太陽光線などの光がスクリーン表面から反射されることが少なくなり、その結果として投写画像のコントラストが向上する。また、このリアスクリーン装置は、投写光源としての３原色の光線透過率が高く、３原色以外の光をある程度吸収することから色再現性が改善され、部屋を暗くしなくても投写像を容易に視認することが可能になる。
【実施例１】
【００３６】
次に、本発明を実施例に基づいて説明するが、本発明は実施例に限定されるものではない。図１にはリアスクリーン装置１を分解して示している。
【００３７】
図１に示すプラスチックシート２は、メタクリル酸メチル単独重合体である厚さ５ｍｍの有色透明の樹脂板である。この樹脂板には、メタクリル樹脂１００重量部に対して、顔料である超微粉末のカーボンブラックを数千ｐｐｍ以下、紫外線吸収剤であるベンゾトリアゾール系化合物を０.５重量部、赤外線吸収剤であるアントラキノン系化合物を数百ｐｐｍ含有している。この透明板の表面には、ディッピング法によって厚さ１μｍのハードコート層６を形成する。ハードコート層６として、ウレタンアクリレートを主成分とする樹脂１００重量部に、酸化スズおよび少量のアンチモンを含む導電性フィラー１５０重量部、分散剤１０重量部、溶媒３００重量部を加えて均一に分散させ、さらに希釈溶剤５００重量部を加えた希釈コート液を用いる。このコート液をロールコータで塗工し、室温乾燥の後に紫外線照射する。
【００３８】
光拡散フィルム５は、基材のポリエステル系樹脂に平均粒径７〜１０μｍのシリカ３５重量部を均一に練り込み、押出成形法によって成形した厚さ１５０μｍの白色不透明フィルムであり、該フィルム５の両面には微細な凹凸を有する。また、裏側に位置する保護シート７は、厚さ２ｍｍのメタクリル酸メチル樹脂シートであり、その光源側の面８にエンボス仕上げ加工によってアンチグレア処理を施こす。
【００３９】
薄い光拡散フィルム５は、フレーム３への組み込み時に皺が発生しないように、両面粘着接着剤２０（図６参照）によってプラスチックシート２の上辺に沿って接着しておく。図１に示すように、光拡散フィルム５をプラスチックシート２および保護シート７で挟み、この挟み込んだ状態でフレーム３に組み込むと、６０インチのリアスクリーン装置１を得ることができる。
【００４０】
図６および図７に示すように、フレーム３は角パイプ２２を矩形状に組み立てて構成し、細長い金属押え板２４の外方曲部２６を複数本のタッピンネジ２８でパイプ後面に固着してリアスクリーン装置１の周囲を挟着することにより、該リアスクリーン装置をフレーム３に取り付ける。図６から明らかなように、フレーム３の押え板内側面とリアスクリーン装置１の外周辺との間には、上辺および左右辺において若干の間隙３０を有し、これらの間隙によって夏季にプラスチックシート２や保護シート７が熱膨張してもリアスクリーン装置１が湾曲することはない。
【００４１】
矩形フレーム３に組み込んだリアスクリーン装置１は、さらにキャスタ３１付きの架台１０に取り付けて移動可能とする。架台１０は、キャスタ３１を回動自在に取り付けた水平板３２から垂直に立設する１対のポール３４で構成し、両ポール３４，３４は水平支持部材３６に連結する。支持部材３６の水平位置は、スクリーンフレーム３を最下方の取付位置３ｂ（図４の一点鎖線参照）に配置しても、フレーム下端と接触しない位置に定める。支持部材３６には、その中央に発熱しないデジタルアンプ３８および左右両側に出力２０Ｗのステレオスピーカ４０，４０を収納する。
【００４２】
架台１０への取り付けのために、スクリーンフレーム３の両側面に垂直張出し板４２をそれぞれ溶接で固着し、該張出し板の垂直方向に所定間隔をおいて２個の貫通孔（図示しない）を設け、一方、架台１０のポール３４に内側面に１対の平行案内板４４，４４を垂直方向に並設する。案内板４４，４４には、フレーム３の取付位置３ａ，３ｂ，３ｃに対応する位置に貫通孔（図示しない）を２個ずつ設け、各貫通孔においてナット４６を同軸状に溶接する。また、着脱可能なストッパ（図示しない）を平行案内板４４，４４に取り付け、張出し板４２，４２を平行案内板４４，４４に挿入する際に、フレーム３が水平支持部材３６に衝突することを防ぐ。張出し板４２の貫通孔を案内板４４，４４の貫通孔と合致させ、各２本のノブボルト４８をナット４６にねじ込むことにより、フレーム３を任意の取付位置で固定できる。各ナット４６は、フレーム３におけるパイプ表面から側方延長部５０によってリアスクリーン装置１の観察側１１から隠されている。
【００４３】
リアスクリーン装置１を設置した架台１０を別の部屋に移動する際には、フレーム３を最下方の取付位置３ｂに下げると、全高が約１８０ｃｍになるのでドア開口部の上部に接触せず、そのまま各部屋へ搬送することができる。リアスクリーン装置１の後方に液晶プロジェクタ１２（図５）を配置し、該プロジェクタから画像を投写すると、観察側１１から鮮明で高コントラストの画像を見ることができる。観察側１１に多人数がいる場合には、フレーム３を最上方の取付位置３ａに上げると見やすい。リアスクリーン装置１は、液晶プロジェクタ１２の光源によってスクリーン表面４がぎらつくことがない。
【００４４】
リアスクリーン装置は、市販黒板並みの大型ホワイトボードであり、該リアスクリーン装置を教室や会議室などに配備すると、画像の非投写時または画像の投写しながら、水性マーカによってスクリーン表面４に文字や図を書き込むことができ、この文字や図は白色不透明の画面において容易に視認できる。リアスクリーン装置１は、表面のハードコート層６によって水性マーカが画面に接触しても傷が付かず、該ハードコート層は帯電防止性であるのでマーカで書いた文字などを容易に拭き取ることができる。リアスクリーン装置１は、プラスチックシート２が比較的肉厚且つ硬質であるので画面に書き込む際に湾曲や変形を起こさず、教育現場などにおいてホワイトボードと兼用できる。
【実施例２】
【００４５】
図２において、リアスクリーン装置１４は、実施例１と同様に、酸化スズとアンチモンを含むウレタンアクリレートを主成分するハードコート層６を形成したプラスチックシート２を用いる。光拡散フィルム５として、実施例１と同様にシリカを均一に練り込んだポリエステル系樹脂をポリエステルフィルム上に塗布し、その厚さは２００μｍである。光拡散フィルム５のポリエステルフィルム面には、エンボス仕上げ加工によってアンチグレア処理を施こしてもよい。また、両面粘着接着剤２０を光拡散フィルム５の上辺に沿って塗布しておく。
【００４６】
リアスクリーン装置１４では、プラスチックシート２を光拡散フィルム５と重ね合わせ、この重ね合わせた状態でフレーム３に組み込み、さらにキャスタ付きの架台に取り付けて移動可能とする。リアスクリーン装置１４には、図１のような保護シートが存在しないため、使用にあたって光拡散フィルム５を傷付けないような注意が必要である。
【実施例３】
【００４７】
図３において、リアスクリーン装置１５のプラスチックシート１６は、メタクリル酸メチル単独重合体である厚さ５ｍｍの有色透明の樹脂板である。この樹脂板には、メタクリル樹脂１００重量部に対して、染料であるＰｌａｓｔ Ｂｌｕｅ ８５１６（有本化学製）を数千ｐｐｍ含有している。プラスチックシート１６の表面には、酸化スズとアンチモンを含むウレタンアクリレートを主成分するハードコート層６を形成する。
【００４８】
厚さ１００μｍの光拡散層１８は、シリカ４５重量部を均一に練り込んだポリエステル系樹脂からなり、シート１６の片面に粘着剤を塗布することにより、シート裏面に積層して一体化する。この粘着剤は、双方のシートに密着性があって無色または有色透明である紫外線硬化型接着剤である。
【図面の簡単な説明】
【００４９】
【図１】本発明に係るリアスクリーン装置を分解して示す概略側面図である。
【図２】本発明のリアスクリーン装置の変形例を示す概略側面図である。
【図３】本発明のリアスクリーン装置の別の変形例を示す概略側面図である。
【図４】架台に取り付けたリアスクリーン装置を示す正面図である。
【図５】図４に示すリアスクリーン装置の側面図である。
【図６】フレームに組み込んだリアスクリーン装置の背面を示す正面図であり、押え板２４を固着する複数本のタッピンネジは図示していない。
【図７】スクリーンフレームを架台に取り付ける個所を拡大して示す水平断面図である。
【符号の説明】
【００５０】
１    リアスクリーン装置
２    プラスチックシート
３    金属フレーム
４    スクリーン表面
５    光拡散フィルム
６    ハードコート層
７    保護シート
【図１】
2005292166.tif 000003
【図２】
2005292166.tif 000004
【図３】
2005292166.tif 000005
【図４】
2005292166.tif 000006
【図５】
2005292166.tif 000007
【図６】
2005292166.tif 000008
【図７】
2005292166.tif 000009